(57)【要約】ページ・ロスを最小化する無線ネットワークの効率的な探索のための技術が開示される。ページング期間を除く利用可能な探索時間が決定される。無線ネットワーク中のセルの探索は、利用可能な探索時間内に行なわれる。探索中に獲得されたセルの関連情報が取得される。関連情報は、実行されている探索のタイプに依存しうる。検知可能な無線ネットワークを発見するためのマニュアル探索の場合、獲得した各セルの関連情報は、ネットワーク識別子情報でありうる。高い優先度の無線ネットワークを発見するための自動探索の場合、高い優先度の無線ネットワークにおいて獲得した各セルの関連情報は、そのセルを選択するために使用されるシステム情報でありうる。探索は、ページング期間前に一時中止されうる。探索を中止する前に、探索の状態情報が保存されうる。探索は、ページング期間の終了時に、保存された状態情報を用いて再開されうる。
2010503289.tif 000002
【特許請求の範囲】
【請求項１】
ページが受信される可能性があるページング期間を除く利用可能な探索時間を決定し、前記利用可能な探索時間中に、無線ネットワークにおけるセルの探索を実行し、前記探索中に獲得されたセルの情報を取得するように構成された装置であって、
前記情報は、実行されている探索のタイプによって決定される装置。
【請求項２】
検知可能な無線ネットワークを発見するために前記探索を実行し、前記探索中に獲得された各セルのネットワーク識別子情報を取得するようにさらに構成された請求項１に記載の装置。
【請求項３】
前記探索中に獲得された各セルのマスタ情報ブロック（ＭＩＢ）を受信し、前記ＭＩＢから前記ネットワーク識別子情報を取得するようにさらに構成された請求項２に記載の装置。
【請求項４】
高い優先度の無線ネットワークを発見するために前記探索を実行し、前記探索中に獲得された高い優先度の無線ネットワークにおける各セルのシステム情報を取得するようにさらに構成された請求項１に記載の装置。
【請求項５】
前記探索中に獲得された各セルのマスタ情報ブロック（ＭＩＢ）を受信し、前記セルから受信したＭＩＢと、高い優先度の無線ネットワークのリストとに基づいて、獲得された各セルが、高い優先度の無線ネットワーク内にあるかを判定するようにさらに構成された請求項４に記載の装置。
【請求項６】
次のページング期間の前に、前記システム情報を受信するための十分な時間がない場合、獲得されたセルのシステム情報を受信することを一時中止するようにさらに構成された請求項４に記載の装置。
【請求項７】
ページをモニタするために、獲得されたセルのシステム情報を、中止することなく受信するようにさらに構成された請求項４に記載の装置。
【請求項８】
高い優先度の無線ネットワークを発見するために前記探索を実行し、前記探索中に獲得された高い優先度の無線ネットワークにおける各セルについて、システム情報ブロック・タイプ１（ＳＩＢ１）とシステム情報ブロック・タイプ３（ＳＩＢ３）とを受信するようにさらに構成された請求項１に記載の装置。
【請求項９】
システム情報が取得された各獲得されたセルのサービス提供基準を判定し、前記サービス提供基準が満足された各獲得されたセルをレポートするようにさらに構成された請求項４に記載の装置。
【請求項１０】
高い優先度の無線ネットワークにおけるセルを発見した後、前記探索を終了するようにさらに構成された請求項４に記載の装置。
【請求項１１】
ページング期間前、前記探索を一時中止し、前記ページング期間中、ページをモニタし、前記ページング期間後、前記探索を再開するようにさらに構成された請求項１に記載の装置。
【請求項１２】
前記探索を一時停止する前に、前記探索の状態情報を保存し、前記ページング期間の終了時に、前記保存された状態情報を用いて前記探索を再開するようにさらに構成された請求項１１に記載の装置。
【請求項１３】
探索タスクのために十分な時間が利用可能であるかを判定し、十分な時間が利用可能である場合、前記探索タスクを実行し、十分な時間が利用可能ではない場合、前記探索タスクを遅らせるようにさらに構成された請求項１に記載の装置。
【請求項１４】
前記探索を実行する前に、サービス提供セルの状態情報を保存し、ページング期間の前に、前記保存された状態情報を用いて、前記サービス提供セルを再獲得するようにさらに構成された請求項１に記載の装置。
【請求項１５】
ページが受信される可能性があるページング期間を除く利用可能な探索時間を決定することと、
前記利用可能な探索時間中に、無線ネットワークにおけるセルの探索を実行することと、
前記探索中に獲得されたセルの情報を取得することと
を備えた方法であって、前記情報は、実行されている探索のタイプによって決定される方法。
【請求項１６】
前記探索を実行することは、検知可能な無線ネットワークを発見するために前記探索を実行することを備え、
前記情報を取得することは、前記探索中に獲得された各セルのネットワーク識別子情報を取得することを備える請求項１５に記載の方法。
【請求項１７】
前記探索を実行することは、高い優先度の無線ネットワークを発見するために前記探索を実行することを備え、
前記情報を取得することは、前記探索中に獲得された高い優先度の無線ネットワークにおける各セルのシステム情報を取得することを備える請求項１５に記載の方法。
【請求項１８】
ページング期間前、前記探索を一時中止することと、
前記ページング期間中、ページをモニタすることと、
前記ページング期間後、前記探索を再開することと
をさらに備える請求項１５に記載の方法。
【請求項１９】
探索タスクのために十分な時間が利用可能であるかを判定することと、
十分な時間が利用可能である場合、前記探索タスクを実行することと、
十分な時間が利用可能ではない場合、前記探索タスクを遅らせることと
をさらに備える請求項１５に記載の方法。
【請求項２０】
ページが受信される可能性があるページング期間を除く利用可能な探索時間を決定する手段と、
前記利用可能な探索時間中に、無線ネットワークにおけるセルの探索を実行する手段と、
前記探索中に獲得されたセルの情報を取得する手段と
を備えた装置であって、前記情報は、実行されている探索のタイプによって決定される装置。
【請求項２１】
ページング期間前、前記探索を一時中止する手段と、
前記ページング期間中、前記ページをモニタする手段と、
前記ページング期間後、前記探索を再開する手段と
をさらに備える請求項２０に記載の装置。
【請求項２２】
探索タスクのために十分な時間が利用可能であるかを判定する手段と、
十分な時間が利用可能である場合、前記探索タスクを実行する手段と、
十分な時間が利用可能ではない場合、前記探索タスクを遅らせる手段と
を備える請求項２０に記載の装置。
【請求項２３】
ページが受信される可能性があるページング期間を除く利用可能な探索時間を決定し、前記利用可能な探索時間中に、無線ネットワークにおけるセルの探索を実行し、前記探索中に獲得されたセルの情報を取得するように動作可能な命令群を格納するプロセッサ読取可能媒体であって、
前記情報は、実行されている探索のタイプによって決定されるプロセッサ読取可能媒体。
【請求項２４】
ページング期間前、前記探索を一時中止し、前記ページング期間中、ページをモニタし、前記ページング期間後、前記探索を再開するように動作可能な命令群をさらに格納する請求項２３に記載のプロセッサ読取可能媒体。
【請求項２５】
探索タスクのために十分な時間が利用可能であるかを判定し、十分な時間が利用可能である場合、前記探索タスクを実行し、十分な時間が利用可能ではない場合、前記探索タスクを遅らせるように動作可能な命令群をさらに格納する請求項２３に記載のプロセッサ読取可能媒体。
【請求項２６】
ページが受信される可能性があるページング期間を除く利用可能な探索時間を決定し、前記利用可能な探索時間中に、無線ネットワークにおけるセルの探索を実行し、前記探索中に獲得されたセルの情報を取得するように構成された少なくとも１つのプロセッサと、
前記ページング期間を決定するように構成されたタイマと
を備える無線デバイス。
【請求項２７】
前記少なくとも１つのプロセッサはさらに、ページング期間前、前記探索を一時中止し、前記ページング期間中、ページをモニタし、前記ページング期間後、前記探索を再開するように構成された請求項２６に記載の無線デバイス。
【請求項２８】
前記探索を一時中止する前に、前記探索の状態情報を格納するように構成されたメモリをさらに備え、
前記少なくとも１つのプロセッサは、前記保存された状態情報を用いて前記探索を再開するように構成された請求項２７に記載の無線デバイス。
【請求項２９】
前記少なくとも１つのプロセッサは、探索タスクのために十分な時間が利用可能であるかを判定し、十分な時間が利用可能である場合、前記探索タスクを実行し、十分な時間が利用可能ではない場合、前記探索タスクを遅らせるように構成された請求項２６に記載の無線デバイス。
【発明の詳細な説明】
【技術分野】
【０００１】
本開示は、一般に、通信に関し、さらに詳しくは、無線通信ネットワークを探索するための技術に関する。
【背景技術】
【０００２】
無線通信ネットワークは、例えば音声、パケット・データ、ブロードキャスト、メッセージ等のような様々な通信サービスを提供するために広く展開している。これらの無線ネットワークは、利用可能なネットワーク・リソースを共有することにより、複数のユーザのための通信をサポートすることができる。そのような無線ネットワークの一例は、符号分割多元接続（ＣＤＭＡ）ネットワーク、時分割多元接続（ＴＤＭＡ）ネットワーク、周波数分割多元接続（ＦＤＭＡ）ネットワーク、および直交ＦＤＭＡ（ＯＦＤＭＡ）ネットワークを含んでいる。これらの無線ネットワークはさらに、広帯域ＣＤＭＡ（Ｗ−ＣＤＭＡ）、ｃｄｍａ２０００、およびグローバル移動体通信システム（ＧＳＭ）のように、当該技術分野で周知の様々なラジオ技術を利用することができる。
【０００３】
無線デバイス（例えば、セルラ電話）は、異なる無線ネットワークと通信することができる。無線デバイスは、デバイスがサービスを得ることができる無線ネットワークを発見するための探索を実行することができる。（ａ）例えば、電源がオンされたときのように無線デバイスがサービス中でない場合、（ｂ）ユーザが、利用可能な無線ネットワークのリストを取得したい場合、あるいは、（ｃ）無線デバイスが、最も高い優先度の無線ネットワークではない無線ネットワークと現在通信している場合、そのような探索がトリガされうる。無線デバイスが、適切な無線ネットワークからサービスを取得することができ、他の必要なタスクを実行することができ、あるいは、スリープ状態に移行してバッテリ電源を節約することができるように、この探索は、出来る限り効率的に行うことが望ましい。
【０００４】
したがって、当該技術では、無線ネットワークの効率的な探索のための技術に対するニーズが存在する。
【発明の概要】
【０００５】
本明細書では、ページ・ロスを最小化する無線ネットワークの効率的な探索技術が記載される。これら技術はまた、探索を早めるために、利用可能な探索時間を効率的に利用する。
【０００６】
実施形態では、まず、ページング期間を除く利用可能な探索時間が決定される。このページング期間は、ページが受信される可能性のある期間である。無線ネットワークにおけるセルの探索は、利用可能な探索時間内に行なわれる。探索中に獲得されたセルの関連情報が取得される。この関連情報は、実行されている探索のタイプ、および、例えばユニバーサル・モバイル・テレコミュニケーション・システム（ＵＭＴＳ）、ｃｄｍａ２０００、ＧＳＭ等のような無線ネットワーク・タイプに依存しうる。検知可能な無線ネットワークを発見するためのマニュアル探索の場合、獲得された各セルの関連情報は、ネットワーク識別子情報でありうる。これは、ＵＭＴＳの場合、セルによって送信されたマスタ情報ブロック（ＭＩＢ）から取得されうる。高い優先度の無線ネットワークを発見するための自動探索の場合、高い優先度のネットワーク内で獲得された各セルの関連情報が取得されうる。関連情報は、セルを選択するために使用されるシステム情報であり、ＵＭＴＳの場合、セルによってブロードキャストされたシステム情報ブロック・タイプ１および３（ＳＩＢ１およびＳＩＢ３）から取得されうる。関連情報は、他のタイプの無線ネットワークでは、他のソースから取得されうる。
【０００７】
探索は、多くのタスクを含みうる。タスクを実行する前に、そのタスクのために十分な時間が残っているかが判定されうる。十分な時間が利用可能である場合、タスクが実行され、そうでない場合、タスクは遅らされうる。その探索は、ページング期間前に一時中止されうる。探索を一時中止する前に、探索の状態情報が保存されうる。探索は、ページング期間の終了時において、保存された状態情報を用いて再開されうる。探索の実行前または再開前には、サービス提供セルの状態情報もまた保存されうる。サービス提供セルは、ページをモニタするために、各ページング期間の前に、保存された状態情報を用いて迅速に再獲得される。
【０００８】
本開示の様々な局面および実施形態が、以下にさらに詳細に記載される。
【０００９】
本開示の局面および実施形態は、同一の参照符号が全体を通じて対応して特定する図面と連携された場合に、以下に記載する詳細記述からより明らかになるだろう。
【図面の簡単な説明】
【００１０】
【図１】図１は、ＵＭＴＳネットワークを示す。
【図２】図２は、ラジオ・リソース制御（ＲＲＣ）状態の状態図を示す。
【図３】図３は、不連続受信（ＤＲＸ）モードにおける動作を示す。
【図４】図４は、ページ・ロスを最小化するＰＬＭＮ探索を実行する処理を示す。
【図５】図５は、マニュアル探索で関連情報を取得する処理を示す。
【図６】図６は、自動探索で関連情報を取得する処理を示す。
【図７】図７は、無線ネットワークの探索を実行する処理を示す。
【図８】図８は、ユーザ機器（ＵＥ）のブロック図を示す。
【発明を実施するための形態】
【００１１】
「典型的な」という用語は、本明細書において、「例、事例、あるいは実例として役立つ」ことを意味するために使用される。本明細書において「典型的な」と記載されたいかなる実施形態または設計も、他の実施形態または設計よりも好適であるとか、有利であるとか必ずしも解釈される必要はない。
【００１２】
本明細書に記載の探索技術は、例えばＵＭＴＳネットワーク、ＧＳＭネットワーク、ｃｄｍａ２０００ネットワーク等のような様々な無線通信ネットワークのために使用されうる。用語「ネットワーク」および「システム」は、しばしば置換可能に使用される。ＧＳＭネットワークは、エア・インタフェースのためにＧＳＭを利用し、コア・ネットワークのためにモバイル・アプリケーション・パート（ＭＡＰ）を利用する。ＵＭＴＳネットワークは、エア・インタフェースのためにＷ−ＣＤＭＡを利用し、コア・ネットワークのためにＭＡＰを利用する。用語「エア・インタフェース」、「ラジオ技術」、および「ラジオ・アクセス技術」は、しばしば置換可能に使用される。用語「Ｗ−ＣＤＭＡ」、「ＵＭＴＳ」もまた、しばしば置換可能に使用される。Ｗ−ＣＤＭＡおよびＧＳＭは、「第３世代パートナシップ・プロジェクト」（３ＧＰＰ）と命名された団体からのドキュメントに記載される。ｃｄｍａ２０００は、「第３世代パートナシップ・プロジェクト２」（３ＧＰＰ２）と命名された団体からのドキュメントに記載される。
【００１３】
一般に、無線ネットワークは、例えばＷ−ＣＤＭＡ、ＧＳＭ、ｃｄｍａ２０００、あるいはその他の幾つかのラジオ技術のような任意のラジオ技術も利用することができる。ネットワーク・オペレータ／サービス・プロバイダは、１または複数のラジオ技術のうちの１または複数の無線ネットワークを構成することができる。明確化のために、探索技術は、ＵＭＴＳについて以下のとおり記載される。したがって、ＵＭＴＳの専門用語が、以下の説明の多くにおいて使用される。
【００１４】
図１は、多くのノードＢ１１０を含むＵＭＴＳネットワーク１００を示す。ノードＢは、ユーザ機器（ＵＥ）と通信する固定局であり、基地局、基地トランシーバ局（ＢＴＳ）、アクセス・ポイント等と称されうる。ラジオ・ネットワーク・コントローラ（ＲＮＣ）１２０が、ノードＢ１１０に接続されており、これらのノードＢのため調整および制御を提供する。無線ネットワークは一般に、多くのセルを含む。ここで、「セル」なる用語は、この用語が使用される状況に依存して、ノードＢとも、あるいは、ノードＢの有効範囲領域とも称することができる。
【００１５】
ＵＥ１５０は、所定の瞬間において、ダウンリンクおよび／またはアップリンクで、１または複数のノードＢ１１０と通信することができる。ＵＥ１５０は固定式または移動式であり、モバイル局（ＭＳ）、モバイル機器（ＭＥ）、端末、局（ＳＴＡ）等とも称されうる。ＵＥ１５０は、セルラ電話、携帯情報端末（ＰＤＡ）、無線モデム、無線通信デバイス、加入者ユニット等でありうる。ダウンリンク（または順方向リンク）は、ノードＢからＵＥへの通信リンクを称し、アップリンク（あるいは逆方向リンク）は、ＵＥからノードＢへの通信リンクを称する。
【００１６】
ＵＭＴＳネットワーク１００は、パブリック・ランド・モバイル・ネットワーク（ＰＬＭＮ）に属しうる。ＰＬＭＮは、例えば１または複数のＵＭＴＳネットワーク、および／または、１または複数のＧＳＭネットワークのような１または複数の無線ネットワークを備えうる。ＰＬＭＮは、特定のモバイル・カントリー・コード（ＭＣＣ）および特定のモバイル・ネットワーク・コード（ＭＮＣ）によってユニークに特定される。所与のＰＬＭＮのＵＭＴＳネットワークは、オーバラップしている有効範囲領域であるか、あるいはオーバラップしない有効範囲領域を有しうる。所与の地理的領域における異なるサービス・プロバイダによっても、複数のＰＬＭＮが構成されうる。
【００１７】
ＵＥ１５０は、ＵＥがサービスを受け取る好適なＰＬＭＮのリストがプロビジョンされる。この好適なリストは、ＵＥが加入しているサービス・プロバイダによってプロビジョンされうる。この好適なリストは通常、ホームＰＬＭＮ（ＨＰＬＭＮ）と、サービス・プロバイダがローミング合意を持つその他のＰＬＭＮとを含む。この好適なリストは、加入者アイデンティティ・モジュール（ＳＩＭ）、ユニバーサルＳＩＭ（ＵＳＩＭ）、あるいはその他幾つかの不揮発性メモリ・モジュール内に格納されうる。ＵＥは、ＵＥが前の探索中に発見したＰＬＭＮのリストを保持することができる。発見されたＰＬＭＮのリストは、不揮発性メモリ内の獲得データベース内に格納されうる。
【００１８】
図２は、ＵＥのためのラジオ・リソース制御（ＲＲＣ）状態の状態図２００を示す。電源がオンされると、ＵＥは、ＵＥがサービスを受けることができる適切なセルを発見するセル選択を実行する。このセルは、サービス提供セルと称される。その後、ＵＥは、ＵＥに対する動作があるか否かに依存して、アイドル・モード２１０または接続モード２２０に移行することができる。アイドル・モードにおいて、ＵＥはＵＭＴＳネットワークに登録し、ページング・メッセージを聞き、必要な場合には、ＵＭＴＳネットワークを用いて場所を更新する。用語「ページング・メッセージ」、「ページ・メッセージ」、および「ページ」は、本明細書で置換可能に使用される。接続モードにおいて、ＵＥは、そのＲＲＣ状態およびコンフィグレーションに依存して、データを受信および／または送信することができる。
【００１９】
接続モードにおいて、ＵＥは、４つの可能なＲＲＣ状態、すなわち、ＣＥＬＬ＿ＤＣＨ状態２２２、ＣＥＬＬ＿ＦＡＣＨ状態２２４、ＣＥＬＬ＿ＰＣＨ状態２２６、あるいはＵＲＡ＿ＰＣＨ状態２２８のうちの１つにありうる。ＣＥＬＬ＿ＤＣＨ状態は、（１）ダウンリンクおよびアップリンクのためにＵＥに割り当てられた専用物理チャネル、および（２）ＵＥに利用可能な専用伝送チャネルおよび共有伝送チャネルの組み合わせ、によって特徴付けられる。ＣＥＬＬ＿ＦＡＣＨ状態は、（１）ＵＥに割り当てられた非専用物理チャネル、（２）ＵＭＴＳネットワークへのアクセスに使用するためＵＥに割り当てられたデフォルトの共通または共有伝送チャネル、および（３）再コンフィグレーション・メッセージのようなシグナリングのための順方向アクセス・チャネル（ＦＡＣＨ）を連続的にモニタするＵＥ、によって特徴付けられる。ＣＥＬＬ＿ＰＣＨ状態およびＵＲＡ＿ＰＣＨ状態は、（１）ＵＥに割り当てられた非専用物理チャネル、（２）ページのためのページング・チャネル（ＰＣＨ）を定期的にモニタするＵＥ、および（３）アップリンクで送信することが許可されていないＵＥ、によって特徴付けられる。ＵＥのモードおよび状態は、公的に利用可能であり、２００６年６月に発行され、「ラジオ・リソース制御（ＲＲＣ）；プロトコル仕様」リリース７と題された３ＧＰＰ  ＴＳ  ２５．３３１に記載されている。
【００２０】
接続モードにある間、ＵＭＴＳネットワークは、ＵＥに対して、ＵＥの動作に基づいて、４つのＲＲＣ状態のうちの１つにあるように命じることができる。ＵＥは、（１）リリースＲＲＣ接続手順を実行することによって、ＣＥＬＬ＿ＤＣＨ状態またはＣＥＬＬ＿ＦＡＣＨ状態から、アイドル・モードへと、（２）確立ＲＲＣ接続手順を実行することによって、アイドル・モードから、ＣＥＬＬ＿ＤＣＨ状態またはＣＥＬＬ＿ＦＡＣＨ状態へと、（３）再コンフィグレーション手順を実行することによって、ＣＥＬＬ＿ＤＣＨ状態とＣＥＬＬ＿ＦＡＣＨ状態との間を、（４）同様に再コンフィグレーション手順を実行することによって、ＣＥＬＬ＿ＤＣＨ状態における異なるコンフィグレーション間を、移行する。これらの手順は３ＧＰＰ  ＴＳ  ２５．３３１に記載されている。
【００２１】
図３は、ＤＲＸ動作モードにおけるＵＥのタイムライン３００を示す。このシステム・タイムラインは、ラジオ・フレームに分割される。ラジオ・フレームはそれぞれ、１０ミリ秒（ｍｓ）の持続時間を有し、１２ビットのシステム・フレーム番号（ＳＦＮ）によって識別される。ＳＦＮは、特定の時間において０にリセットされ、その後、各フレーム毎に１ずつインクリメントされ、最大値である４０９５に達した後にゼロにリセットされる。
【００２２】
ＵＥは、アイドル・モードのＤＲＸモード、ＣＥＬＬ＿ＰＣＨ状態、あるいはＵＲＡ＿ＰＣＨ状態で動作することができる。ＤＲＸモードは、スロット・モード・ページングとも称される。ＤＲＸモードにおいて、ＵＥは、ページングの機会が割り当てられる。それは、ＵＥがページを受信できる特定のラジオ・フレームである。このページング機会は、ページング期間、ページング・フレーム等とも称される。ＵＥのページング機会は、ＤＲＸサイクルと呼ばれる時間間隔によって分離される。ＤＲＸサイクルは、ＵＥについて設定可能であり、８０ミリ秒から５．１２秒まで、あるいは８ラジオ・フレームから５１２ラジオ・フレームまで及びうるが、一般には１．２８秒に等しい。ＵＥのページング機会は、ＵＥにユニークな、例えば国際移動電話加入者識別番号（ＩＭＳＩ）のような幾つかのパラメータに基づいて決定される。
【００２３】
ＵＥは、ＵＥに送られたページを受信するために、ページング機会中に定期的にウェイクアップすることができる。ページは、ページング機会以外にはＵＥに送られない。したがって、ＵＥは、その他の実行するタスクがない場合、ページング機会内の時間中に、スリープすることができる。ＵＥは、バッテリ電源を節約するために、スリープ状態にある間は、出来る限り多くの回路の電源を落とすことができる。
【００２４】
ＵＥは、ＰＬＭＮを探索するために、マニュアル探索または自動探索を実行することができる。ＵＥは、ユーザによって要求された場合にはいつでもマニュアル探索を実行することができる。マニュアル探索の目的は、ＵＥによって発見された全てのＰＬＭＮの包括的なリストを、ユーザに返すことである。ＵＥは、ホームＰＬＭＮよりも低い優先度であるＰＬＭＮにキャンプしている場合、定期的に自動探索を実行することができる。自動探索の目的は、サービス提供しているＰＬＭＮよりも高い優先度のＰＬＭＮを発見することである。ＵＥは、タイマが期限切れになる場合常に、自動探索を実行することが出来る。タイマの値は、サービス・プロバイダによって提供されうる。表１は、マニュアル探索と自動探索の幾つかの重要な属性を要約している。
【表１】
2010503289.tif 000003
【００２５】
マニュアル探索と自動探索との両方について、ＵＥは、ＵＭＴＳネットワークの探索（ＵＭＴＳ探索）を実行し、また、（例えば、ＧＳＭネットワークのＧＳＭ探索のような）他のラジオ技術の無線ネットワークの探索も行う。その他のラジオ技術の無線ネットワークの探索は、本明細書に記載されない。
【００２６】
ＵＭＴＳでは、各セルが、異なるシステム情報ブロック（ＳＩＢ）を用いて、全てのシステム情報を少しずつブロードキャストする。システム情報ブロックはそれぞれ、セルおよび／またはＰＬＭＮの一定のシステム情報を搬送し、特定の時間においてブロードキャストされる。別のシステム情報ブロックは、別のレートすなわち、およそ１秒毎から１０秒毎に及ぶ別の間隔でブロードキャストされうる。システム情報ブロック・タイプ１（ＳＩＢ１）は、アイドル・モードおよび接続モードのための定数、タイマ、およびドメイン情報を搬送する。ドメイン情報は、例えば、セルがパケット交換コールおよび／または回路交換コールをサポートしているか、および、ロケーション・エリア・アイデンティティ（ＬＡＩ）情報等を伝送することができる。システム情報ブロック・タイプ３（ＳＩＢ３）は、セル・アイデンティティ、セル選択および再選択情報、セル予約情報、セル・アクセス制限情報を伝送する。ＵＥは、サービス提供セルから新たなセルへの再選択を実行するために、セル再選択情報を用いる。ＵＥは、新たなセルが禁止されているかを判定するために、セル予約情報を用いる。ＳＩＢ３は、およそ１秒毎のレートで送られうる。ＳＩＢ１乃至ＳＩＢ７およびＳＩＢ１１乃至ＳＩＢ１８によって、全てのシステム情報がブロードキャストされる。
【００２７】
セルはそれぞれ、セルによってどのシステム情報ブロックが使用されるかを特定するマスタ情報ブロック（ＭＩＢ）と、これらシステム情報ブロックのためのスケジュールとをブロードキャストすることができる。ＭＩＢはまた、セルが属するＰＬＭＮのＭＮＣおよびＭＣＣをも搬送する。セルは、プライマリ共通制御物理チャネル（Ｐ−ＣＣＰＣＨ）で、８０ミリ秒毎に定期的にＭＩＢをブロードキャストする。ＭＩＢとＳＩＢは、３ＧＰＰ  ＴＳ  ２５．３３１に記載されている。
【００２８】
図３はまた、１つのセルによるＭＩＢ、ＳＩＢ１、およびＳＩＢ３の典型的な送信３１０を示す。ＭＩＢ、ＳＩＢ１、およびＳＩＢ３は、別のレートおよび／または別の時間に定期的にブロードキャストされうる。ＵＥのために与えられたページング機会は、ＭＩＢ、ＳＩＢ１、および／またはＳＩＢ３とオーバラップしうる。
【００２９】
ＵＥは、ＵＥに送られたページを受信するために、ページング・チャネルを定期的に処理することができる。ＵＥは、要求された場合、あるいはトリガされた場合には常に、マニュアル探索および／または自動探索を、バックグランド・タスクとして実行することができる。フォアグランド・タスク（例えば、ページを受信すること）は、より高い優先度を持っており、最初に実行される。バックグランド・タスクは、低い優先度を持っており、２番目に、例えば、何れのフォアグランド・タスクも実行される必要がない場合に実行される。ＵＥは、可能な場合には常に、ミッシング・ページを最小化するために、ＰＬＭＮ探索を、バックグランド・タスクとして効率的に実行することができる。
【００３０】
ＰＬＭＮ探索中、セルの獲得に成功すると、ＵＥは、セルが属するＰＬＭＮを決定するために、獲得したセルから、システム情報の読み取りを続けることができる。獲得したセルのシステム情報（あるいはＳＩＢ）を読み取る場合、ＵＥはページをミスしないという保証はない。なぜなら、獲得したセルのＳＩＢスケジューリングは、サービス提供セルのＵＥのページング機会とオーバラップしうるからである。さらに、ＳＩＢを読み取るために必要な時間の長さは、ＵＥのＤＲＸサイクルよりも長くなりうる。例えば、ＳＩＢ１およびＳＩＢ３の読み取りには、１．２８秒あるいはそれ以上を要するが、最短のＤＲＸサイクルは０．６４秒である。
【００３１】
マニュアル探索の場合、ＵＥは、獲得されるセルのＰＬＭＮ識別情報（ＩＤ）を取得する。ＰＬＭＮ  ＩＤは、ＭＣＣおよびＭＮＣによって与えられる。セルはそれぞれ、セルが属するＰＬＭＮのＭＮＣおよびＭＣＣを、ＭＩＢで送信する。実施形態では、マニュアル探索の場合、ＵＥは、ＰＬＭＮ  ＩＤを取得するために、獲得したセルのＭＩＢのみを受信し、セルのＳＩＢを受信しない。ＭＩＢは８０ミリ秒毎にスケジュールされるので、ＵＥは、セルのＭＩＢを、バックグランドで読み取ることができる。ＭＩＢのみを読み取ることによって、ＵＥは、マニュアル探索中、ミッシング・ページを回避することができる。
【００３２】
自動探索の場合、ＵＥは、サービス提供セルよりも高い優先度を持ち、獲得されうるセルの関連システム情報を取得する。自動探索の場合、ＵＥは、サービス提供しているＰＬＭＮよりも高い優先度を持つＰＬＭＮを含むＰＬＭＮ探索リストを取得する。このＰＬＭＮ探索リストは、ＵＥにおいてプロビジョンされた好適なＰＬＭＮのリストに基づいて決定されうる。実施形態では、ページ・ロスを最小化するために、獲得したセルが、サービス提供セルよりも高い優先度である場合においてのみ、ＵＥは、獲得したセルのＳＩＢを読み取る。セルの獲得後、ＵＥは、（ＭＩＢから取得された）獲得したセルのＰＬＭＮ  ＩＤが、ＰＬＭＮ探索リストに存在するかを判定する。獲得したセルのＰＬＭＮが、ＰＬＭＮ探索リスト内に存在する場合においてのみ、ＵＥは、獲得したセルのＳＩＢを読み取り、それ以外の場合にはＳＩＢを読み取らない。本実施形態は、選択に不適切なセルのＳＩＢの、ＵＥによる不必要な読み取りを回避する。
【００３３】
実施形態では、自動探索の場合、獲得したセルのＰＬＭＮ  ＩＤが、ＰＬＭＮ探索リスト内に存在すると判定した後に、ＵＥは、セルによってブロードキャストされたＳＩＢの全てを読み取るとは限らない。むしろＵＥは、ページ・ロスを最小化するために、例えば、ＬＡＩ情報、セル・アクセス制約、セル禁止状態等のようなセル適応性を決定する関連システム情報を含むＳＩＢ１およびＳＩＢ３のみを読み取る。
【００３４】
実施形態では、ＵＥは、ＵＥがサービス提供セルから何れのページも受信しないＤＲＸ時間の間、ＰＬＭＮを探索する。ミッシング・ページを最小にするために、ＵＥは、そのページング機会中、ＰＬＭＮ探索を一時中止し、サービス提供セルからページング・チャネルを受信する。これによって、ＵＥは、ページ・ロスを最小にしながらＰＬＭＮを探索することが可能となる。
【００３５】
図３では、ＵＥのための１つのページング機会が時間Ｔ１と時間Ｔ２との間で生じ、ＵＥのための別のページング機会が時間Ｔ３と時間Ｔ４との間で生じている。ＵＥのためのＤＲＸ時間は、時間Ｔ１の前、時間Ｔ２と時間Ｔ３との間、および時間Ｔ４の後である。もし他のタスクを行なう必要がなければ、ＤＲＸ時間は、ＰＬＭＮ探索のために利用することができる。ＵＥは、ＤＲＸ時間の間、ＰＬＭＮ探索を行なうことができる。
【００３６】
ＰＬＭＮは、１または複数の周波数帯域で動作することができる。周波数帯域はそれぞれ、約５ＭＨｚの間隔で分離された複数のＵＭＴＳチャネルをカバーすることができる。ＵＭＴＳチャネルはまた、Ｗ−ＣＤＭＡチャネル、周波数チャネル等とも称される。ＵＭＴＳチャネルはそれぞれ、３．８４ＭＨｚの帯域幅と、２００ｋＨｚ分解能が与えられた中心周波数を持っている。ＵＭＴＳチャネルはそれぞれ、ＵＡＲＦＣＮ（ＵＴＲＡ絶対ラジオ周波数チャネル番号）でありうる特定のチャンネル番号によって識別される。様々な周波数帯域のＵＡＲＦＣＮは、公的に利用可能であり、２００６年３月に発行され、「ユーザ機器（ＵＥ）ラジオ送信および受信（ＦＤＤ）」リリース７と題された３ＧＰＰ  ＴＳ  ２５．１０１で与えられている。ＰＬＭＮ内のＵＭＴＳネットワークは、一般に、１または複数の具体的なＵＡＲＦＣＮで動作する。
【００３７】
ＵＥは、以下のように、周波数帯域内の強いＵＡＲＦＣＮを検知するために、周波数スキャンを実行することができる。  
・周波数帯域全体にわたって粗い周波数スキャンを実行し、例えばΔｆｃ＝２ＭＨｚのようなΔｆｃによって分離された粗い周波数で受信電力を測定する。  
・強い粗い周波数を特定する。  
・強い粗い周波数のおのおの周囲のＵＡＲＦＣＮの範囲に対して、精細な周波数スキャンを実行する。  
・強いＵＡＲＦＣＮを特定する。
【００３８】
ＵＥは、ＵＥによって以前に獲得されたＵＭＴＳチャネルに対するユニークなＵＡＲＦＣＮ／ＰＬＭＮエントリのリストを含む獲得データベースを保持することができる。ＵＡＲＦＣＮ／ＰＬＭＮエントリはそれぞれ、ＵＡＲＦＣＮ、スクランブリング・コード、および、関連するＵＭＴＳチャネルを獲得するためのその他の適切な情報を示すことができる。獲得データベースは、予め定めた数（例えば、１０）の最も直近のエントリを含むことができる。これらのエントリは、獲得データベース内で、新たなエントリが、最も古いエントリと交換できるように、循環バッファ内に格納される。
【００３９】
ＵＥは、周波数スキャンを用いて、完全な探索を実行する前に、獲得データベース内のＵＭＴＳチャネルを求める部分的な探索を実行することができる。これは、いくつかの理由で望ましいかもしれない。第１に、ＵＥは、これらＵＭＴＳチャネルを既に獲得しているので、これらＵＭＴＳチャネルを再び獲得する可能性が高い。第２に、ＵＥは、例えばスクランブリング・コードのような関連情報を持っており、ＵＭＴＳチャネルをより迅速に獲得することができる。第３に、ＵＥは、完全な探索のための周波数探索空間を低減するため、および／または、ＰＬＭＮが存在しえないＵＡＲＦＣＮに対する獲得の試みを避けるために、部分探索の結果を利用することができる。ＵＥはまた、ＰＬＭＮがより発見される可能性が高い場合、ＵＡＲＦＣＮを特定するために、また、ＰＬＭＮが発見される可能性が低い場合、ＵＡＲＦＣＮを避けるために、その他の技術を適用することができる。
【００４０】
図４は、ページ・ロスを最小化するためにＰＬＭＮ探索を実行する処理４００の実施形態を示す。ＰＬＭＮ探索は、マニュアル探索あるいは自動探索でありうる。まず、探索すべきＵＡＲＦＣＮのリストが取得される（ブロック４１２）。マニュアル探索の場合、このＵＡＲＦＣＮリストは、周波数スキャンから取得されうる。自動探索の場合、このＵＡＲＦＣＮリストは、周波数スキャンあるいは獲得データベースから取得されうる。自動探索の場合、より高い優先度を持つＰＬＭＮを含むＰＬＭＮ探索リストもまた取得される（図４に図示せず）。
【００４１】
例えば、３ステップの処理を用いて、リスト内のＵＡＲＦＣＮについて獲得が試みられる（ブロック４１４）。ステップ１では、ＵＥが、ＵＥにおいて受信したサンプルを、別の時間オフセットでローカルに生成されたＰＳＣシーケンスと相関付けることによって、プライマリ同期チャネル（ＳＣＨ）で送られた２５６チップ・プライマリ同期コード（ＰＳＣ）シーケンスを探索する。ＵＥは、ＰＳＣを用いてセルの存在を検知し、そのセルのスロット・タイミングを確認する。ステップ２では、ＵＥが、ＰＳＣが検知された各セルによって使用される２次同期コード（ＳＳＣ）シーケンスのパターンを決定する。ＵＥは、セルについて検知されたＳＳＣパターンに基づいて、そのセルのために使用されるスクランブリング・コード・グループと、フレーム・タイミングとを決定することができる。ステップ３では、ＵＥは、ＳＳＣパターンが検知された各セルによって使用されるスクランブリング・コードを決定する。各ＳＳＣパターンは、８つのスクランブリング・コードからなるグループに関連付けられる。ＵＥは、どのスクランブリング・コードがセルによって使用されるかを決定するために、８つのスクランブリング・コードのうちの各々を評価する。
【００４２】
その後、ＵＡＲＦＣＮについて何れかのセルが獲得されたかが判定される（ブロック４１６）。答えが“Ｙｅｓ”である場合、獲得したセルの関連情報が取得される（ブロック４２０）。下記に記述するように、別のタイプの探索のために、別のタイプの情報が取得されうる。
【００４３】
ブロック４１６において、答えが“Ｎｏ”であれば、ブロック４２０の終了後、獲得する別のＵＡＲＦＣＮが存在するかが判定される（ブロック４２２）。答えが“Ｎｏ”である場合、処理は終了する。そうではない場合、別のＵＡＲＦＣＮを獲得する次のページング機会の前に、十分な時間が残っているかが判定される（ブロック４２４）。答えが“Ｙｅｓ”である場合、処理は、ステップ４１４に戻り、リスト内の別のＵＡＲＦＣＮを獲得する。そうではなく、十分な時間がないのであれば、この探索の状態が保存される（ブロック４２６）。ＵＥは、次のＤＲＸ時間まで待機し（ブロック４２８）、探索の状態を呼び戻し、探索を再開する（ブロック４３０）。ＵＥはその後、ブロック４１４に戻り、リスト内の次のＵＡＲＦＣＮが獲得される。
【００４４】
図５は、マニュアル探索で獲得したセルの関連情報を取得する処理４２０ａの実施形態を示す。処理４２０ａは、図４のブロック４２０の実施形態であり、図４のブロック４１４で獲得された各セルのために実行されうる。まず、獲得したセルのＭＩＢを読み取るために、次のページング機会の前に、十分な時間が残っているかが判定される（ブロック５１２）。答えが“Ｙｅｓ”であれば、獲得されたセルのＭＩＢが受信され、そのセルのＰＬＭＮのＰＬＭＮ  ＩＤがＭＩＢから取得される（ブロック５２０）。その後、処理は、図４のブロック４２２に戻る。そうでない場合、すなわち、十分な時間がなく、ブロック５１２の答えが“Ｎｏ”であれば、この探索状態が保存される（ブロック５１４）。その後、ＵＥは、次のＤＲＸ時間まで待機し（ブロック５１６）、探索状態を呼び戻し、探索を再開する（ブロック５１８）。そして、獲得したセルのＭＩＢを受信し、ＰＬＭＮ  ＩＤを取得する（ブロック５２０）。
【００４５】
実施形態では、ＵＥは、例えば３  ＭＩＢ送信すなわち３×８０＝２４０ミリ秒のような予め定めた数のＭＩＢ送信によって与えられる予め定めた時間の間、獲得したセルのＭＩＢの読み取りを試みる。ＭＩＢが予め定めた継続時間内に受信されない場合、ＵＥは次のセル／周波数へ移動する。この実施形態は、ＵＥがＭＩＢの読み取りを無限に試みるというシナリオを避けるが、劣悪なＲＦ条件または偽のセルによっては回避することができない。この予め定めた継続時間は、ＵＥがこのセルでスタックすることを回避する。ＵＥは、タイマを、この予め定めた継続時間に初期化し、ＭＩＢを読み取る前にタイマをセットし、タイマが期限切れになった場合、ＭＩＢの読み取りを中断する。
【００４６】
図６は、自動探索で獲得したセルの関連情報を取得する処理４２０ｂの実施形態を示す。処理４２０ｂは、図４のブロック４２０の別の実施形態であり、図４のブロック４１４で獲得された各セルについて実行されうる。処理４２０ｂは、獲得したセルのＭＩＢを受信し、このＭＩＢからＰＬＭＮ  ＩＤを取得するためのブロック５１２、５１４、５１６、５１８および５２０を含む。その後、獲得したセルのＰＬＭＮ（獲得ＰＬＭＮと呼ばれる）がＰＬＭＮ探索リスト内に存在するかが判定される（ブロック６３０）。答えが“Ｎｏ”である場合、獲得したセルが破棄され、このセルのシステム情報は取得されず、処理は図４のブロック４２２に戻る。
【００４７】
獲得したＰＬＭＮがＰＬＭＮ探索リスト内に存在し、ブロック６３０の答えが“Ｙｅｓ”である場合、獲得したセルのシステム情報が取得される。これはいくつかの方式で達成されうる。図６に示す実施形態では、獲得したセルのＳＩＢ１およびＳＩＢ３を読み取るために、次のページング機会の前に十分な時間が残っているかが判定される（ブロック６３２）。答えが“Ｙｅｓ”である場合、獲得したセルのＳＩＢ１およびＳＩＢ３が受信され、これらＳＩＢから、このセルの関連システム情報が取得される（ブロック６４０）。そうでない場合、すなわち、十分な時間がないのであれば、ＵＥはこの探索状態を保存し（ブロック６３４）、次のＤＲＸ時間まで待機する（ブロック６３６）。そして、この探索状態を呼び戻し、探索を再開する（ブロック６３８）。その後、獲得したセルのＳＩＢ１およびＳＩＢ３を受信し、システム情報を取得する（ブロック６４０）。
【００４８】
別の実施形態では、獲得したＰＬＭＮがＰＬＭＮ探索リストに存在していないと判定された後、ＵＥは、十分な時間があるかを判定することなく、獲得したセルのＳＩＢ１およびＳＩＢ３を受信する。この実施形態によって、高い優先度を持つセルについては、システム情報をより迅速に検索することができ、セルをより早期に選択できるようになる。ブロック６３２乃至６３８は省略可能であるので、本実施形態は複雑さをも低減することができる。これら利点のトレードオフは、ページが失われる可能性があるということである。なぜなら、ＳＩＢの読み取りは、ＵＥのページング機会を通じてなされるからである。
【００４９】
何れにせよ、獲得したセルのシステム情報を受信した後、ＵＥは、ＳＩＢ３のシステム情報に基づいて、サービス提供している基準をチェックする（ブロック６４２）。ＵＥは、サービス提供している基準を、あたかもＵＥが、獲得されたセルへのキャンプを試みているかのようにチェックし、このセルを、新たなサービス提供セルと選択することが許されるか否かを判定する。サービス提供している基準が満足され、ＵＥが獲得されたセルへキャンプできるのであれば、このセルおよびそのＰＬＭＮがレポートされる（ブロック６４４）。そうではない場合、すなわち、サービス提供している基準が満足されないのであれば、獲得されたセルは、不適切であると見なされ、破棄される。この不適切なセルの破棄によって、サービス提供している基準をセルが満足しないＰＬＭＮに関する不必要なセル選択が避けられる。一方、これは、ページ・ロスを最小化することができる。なぜなら、ＵＥはサービス提供セルにキャンプし続け、サービス提供している基準を満足しなくなった場合、不必要なセル選択を試みないからである。ブロック６４２の答えが“Ｎｏ”である場合、処理は、図４のブロック４２２に戻る。
【００５０】
ブロック６４４において、獲得したセルがレポートされると、獲得したＰＬＭＮが、ＰＬＭＮリスト内で最も高い優先度を持つＰＬＭＮであるかが判定される（ブロック６４６）。答えが“Ｙｅｓ”である場合、ＰＬＭＮ探索が終了し（ブロック６４８）、ＵＥは、その他のＰＬＭＮを探索しない。これによって、最も高い優先度を持つＰＬＭＮにおいて、新たに獲得したセルに対する迅速な選択が可能となる。そうではない場合、すなわち、獲得したＰＬＭＮが最も高い優先度を持つＰＬＭＮではない場合、処理は、図４におけるブロック４２２に戻る。
【００５１】
図４乃至図６に示す実施形態では、探索タスクを実行する前に、ＵＥは、次のページング機会前の、残りの時間の長さをチェックする。残りの時間が探索タスクを終えるのに十分ではない場合、ＵＥは、ページの探索およびモニタを一時中止する。これによって、ＵＥは、バッテリ電力を節約し、ページ・ロスを最小にすることができる。
【００５２】
ＵＥは、ページング機会が生じる場合には常に探索状態を保存し、ページング・チャネルを受信するページング機会中、探索を一時中止し、ページング機会の終了後、一時中止されたところから探索を再開する。一時中止された場合、探索の進行に依存して、探索について別の情報が保存されうる。周波数スキャン中、ＵＥは、精細なスキャンが実行されるべきである粗い周波数のみならず、特定された強いＵＡＲＦＣＮに関する情報を保存することができる。ＰＬＭＮ探索中、ＵＥは、獲得が実行されたＵＡＲＦＣＮ、獲得を試みるＵＡＲＦＣＮ、ＭＩＢを取得するセル、ＳＩＢ１およびＳＩＢ３を取得するセル、獲得されたセルの周波数の情報、および／またはその他の情報を保存することができる。
【００５３】
実施形態では、ＰＬＭＮ探索を行なう場合、ＵＥは、サービス提供しているセルの状態を保存する。サービス提供しているセルの状態情報は、タイミング情報、周波数情報、スクランブリング・コード・ＰＬＭＮ  ＩＤ、システム情報ブロック（例えば、セル再選択パラメータ）、受信信号強度、送信ダイバーシティ・インジケータ等を含みうる。近隣セル情報（例えば、タイミング情報、周波数情報、スクランブリング・コード等）もまた保存されうる。ＵＥは、ページング・チャネルを受信する必要がある場合には常に、保存された状態情報を用いて、サービス提供セルを迅速に獲得することができる。例えば、サービス提供セルのタイミング情報は、ステップ１、２，３の探索を完全に実行するのではなく、周知の参照位置の周囲の小さなウィンドウにおいて探索を実行するために使用されうる。これは、ページを聞くためにサービス提供セルに戻るＵＥによって費やされる時間を短縮し、もって、利用可能な探索時間を最大にする。
【００５４】
実施形態では、探索実施時におけるソフトウェア・レイテンシを短縮するために、ＲＲＣレイヤと物理レイヤとの間において（コマンド・インタフェースではなく）機能インタフェースが使用される。この機能インタフェースによって、レイヤ１（Ｌ１）コンテクスト自身におけるチェックが可能となる。探索が実行されない場合（例えば、マニュアル探索も自動探索もトリガされない場合）、機能インタフェースは、コンテクスト切換を回避するので、ＵＥは、スリープ状態に早期に移行できるようになる。機能インタフェースはまた、次のページング機会前に、探索するための十分な時間があるかもチェックする。もしも十分な時間がないのであれば、Ｌ１は、直ちにスリープ状態に移ることができる。この機能インタフェースによって、探索タスクのために利用可能な時間を延長することができる。
【００５５】
図７は、無線ネットワーク（例えば、ＰＬＭＮ）の探索を実行する処理７００の実施形態を示す。まず、ページング期間を除く利用可能な探索時間が決定される（ブロック７１２）。ページング期間（または、ページング機会）は、ページが受信される時間期間である。利用可能な探索時間は、ＤＲＸ時間から、その他のタスクを実行するために使用される時間を引いたものである。無線ネットワークにおけるセル探索は、この利用可能な探索時間内に実行される（ブロック７１４）。この探索中に獲得されたセルについて、関連情報が取得される（ブロック７１６）。この関連情報は、実行されている探索のタイプによって決定される。
【００５６】
検知可能な無線ネットワークを発見するマニュアル探索の場合、獲得された各セルの関連情報は、例えば、セルのＭＩＢから取得されたＰＬＭＮ  ＩＤのようなネットワーク識別子情報でありうる。
【００５７】
より高い優先度を持つ無線ネットワークを発見する自動探索の場合、探索中に獲得された各セルについて、ＭＩＢが受信されうる。獲得されたセルが高い優先度の無線ネットワークにあるかどうかは、高い優先度を持つ無線ネットワークのリストおよびＭＩＢに基づいて判定されうる。高い優先度を持つ無線ネットワークにおいて獲得された各セルの関連情報は、セルを選択するために使用されるシステム情報でありうる。このシステム情報は、例えばＳＩＢ１およびＳＩＢ３から取得されうる。次のページング期間の前に、十分な時間がない場合には、ＳＩＢ１およびＳＩＢ３の受信は一時中止されうる。あるいは、ＳＩＢ１およびＳＩＢ３は、ページをモニタするために、中止することなく受信される。サービス提供している基準は、システム情報が受信される獲得されたセルのおのおのについて決定される。サービス提供している基準が満たされているセルのみがレポートされうる。その探索は、最も高い優先度を持つ無線ネットワークにおいてセルを発見した後に終了する。
【００５８】
この探索は、多くのタスクを含みうる。タスクを実行する前に、そのタスクのために十分な時間が残っているかが判定されうる。十分な時間が利用可能である場合、タスクが実行され、そうではない場合、タスクは遅らされる。この探索は、ページをモニタするために、ページング期間前に一時中止されうる（ブロック７１８）。探索のための状態情報は、この探索を一時中止する前に保存されうる（ブロック７２０）。この探索は、ページング期間の終了時に、保存した状態情報を用いて再開されうる（ブロック７２２）。サービス提供セルの状態情報は、探索の実行または再開前に保存されうる。サービス提供セルは、例えば、各ページング期間の前に、保存された状態情報を用いて迅速に再獲得されうる。
【００５９】
図８は、ＵＥ１５０の実施形態のブロック図を示す。アップリンクにおいて、ＵＥ１５０によって送られるデータおよびシグナリングは、エンコーダ８２２によって処理（例えば、フォーマット、符合化、およびインタリーブ）され、適用可能なラジオ技術（例えば、Ｗ−ＣＤＭＡ、ＧＳＭ、またはｃｄｍａ２０００）にしたがって変調器（Ｍｏｄ）８２４によってさらに処理（例えば、変調、チャネル化、およびスクランブル）されて、出力チップが生成される。その後、送信機（ＴＭＴＲ）８３２は、この出力チップを調整（例えば、アナログ変換、フィルタ、増幅、および周波数アップコンバート）して、アップリンク信号を生成する。このアップリンク信号は、アンテナ８３４を介して送信される。
【００６０】
ダウンリンクでは、ノードＢによって送信されたダウンリンク信号をアンテナ８３４が受信し、受信信号を提供する。受信機（ＲＣＶＲ）８３６は、この受信信号を調整（例えば、フィルタ、増幅、周波数ダウンコンバート、およびデジタル化）して、サンプルを提供する。復調器（Ｄｅｍｏｄ）８２６は、このサンプルを処理（例えば、デスクランブル、チャネル化、および復調）して、サンプル推定値を提供する。さらに、このシンボル推定値をデコーダ８２８が処理（例えば、デインタリーブおよびデコード）して、デコード・データを提供する。エンコーダ８２２、変調器８２４、復調器８２６、およびデコーダ８２８は、モデム・プロセッサ８２０によって実現されうる。これらのユニットは、サービス提供している無線ネットワークによって使用されるラジオ技術（例えば、Ｗ−ＣＤＭＡ、ＧＳＭ、またはｃｄｍａ２０００）に従って処理を行う。例えば、復調器８２６は、Ｗ−ＣＤＭＡの場合、スクランブリング・シーケンスを用いてデスクランブリングを、直交可変拡散因子（ＯＶＳＦ）コードを用いて逆拡散を、データ復調等を実行することができる。復調器８２６は、ＧＳＭの場合、マッチト・フィルタリングおよび等化を実行することができる。
【００６１】
コントローラ／プロセッサ８４０は、ＵＥ１５０おける動作を制御する。メモリ８４２は、ＵＥ１５０のデータおよびプログラム・コードを格納する。コントローラ／プロセッサ８４０は、図４における処理４００、図５における処理４２０ａ、図６における処理４２０ｂ、図７における処理７００、および／またはその他の処理を実施することができる。コントローラ／プロセッサ８４０は、ＰＬＭＮ探索をいつ実行するかを決定することができる。また、探索するＰＬＭＮ、周波数チャネル、および／または周波数帯域を決定することができる。コントローラ／プロセッサ８４０は、ＤＲＸ時間と、利用可能な探索時間とを決定するタイマを実装することができる。コントローラ／プロセッサ８４０および／またはメモリ８４２は、進行中の探索のための状態情報、および／または、サービス提供セルのための状態情報を格納することができる。メモリ８４２は、ＰＬＭＮ情報、獲得したデータベース、検索結果等を格納することができる。
【００６２】
明確化のために、探索技術は、ＵＭＴＳについて具体的に記載された。これらの技術はまた、例えばＧＳＭネットワーク、ｃｄｍａ２０００ネットワーク、無線ローカル・エリア・ネットワーク（ＷＬＡＮ）等のようなその他の無線ネットワークのためにも用いられうる。これらの技術はまた、例えば、Ｗ−ＣＤＭＡとＧＳＭ、Ｗ−ＣＤＭＡとｃｄｍａ２０００、またはその他幾つかのラジオ技術の組み合わせのような２またはそれ以上のラジオ技術のためにも使用されうる。
【００６３】
本明細書に記載の検索技術は、様々な手段によって実現されうる。例えば、これらの技術は、ハードウェア、ファームウェア、ソフトウェア、あるいはこれらの組み合わせによって実現されうる。ハードウェアによって実現する場合、探索を実行するために使用される処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールド・プログラム可能なゲート・アレイ（ＦＰＧＡ）、プロセッサ、コントローラ、マイクロ・コントローラ、マイクロプロセッサ、電子デバイス、本明細書に記載の機能を実行するように設計されたその他の電子ユニット、またはこれらの組み合わせの中に実装されうる。
【００６４】
ファームウェアおよび／またはソフトウェアによって実現する場合、探索技術は、本明細書に記載の機能を実行するモジュール（例えば、手順、関数等）を用いて実現されうる。ファームウェア・コードおよび／またはソフトウェア・コードは、メモリ（例えば、図８におけるメモリ８４２）内に格納され、プロセッサ（例えばプロセッサ８４０）によって実行されうる。メモリは、プロセッサの内部で実現されるか、あるいはプロセッサの外部に実装されうる。
【００６５】
開示された実施形態の上記説明は、当業者が本開示の製造または使用を可能とするために提供される。これらの実施形態への様々な変更は、当業者に容易に明らかになるであろう。そして、本明細書で定義した一般原理は、本開示の精神または範囲から逸脱することなくその他の実施形態に適用されうる。したがって、本開示は、本明細書に示された実施形態に限定されるのではなく、本明細書に開示した原理および斬新な機能と一致の取れた最も広い範囲が与えられる。
【図１】
2010503289.tif 000004
【図２】
2010503289.tif 000005
【図３】
2010503289.tif 000006
【図４】
2010503289.tif 000007
【図５】
2010503289.tif 000008
【図６】
2010503289.tif 000009
【図７】
2010503289.tif 000010
【図８】
2010503289.tif 000011
【国際調査報告】
2010503289.tif 000012
2010503289.tif 000013
2010503289.tif 000014